(57)【要約】【課題】  幼児のお絵描きの学習に役立つ知育玩具として安価であり、しかも、軽量で持ち運びに便利なお絵描き台玩具を提供する。【解決手段】  お絵描き台玩具100は、樹脂製で軽量な筐体10,90と、筐体10,90の表面でトレース台として硬質で頑丈な透明板20と、透明板20の下方に配置される乳白シートと、前記乳白シートの下方に配置され、光錯乱構造を形成する乱反射板と、前記乱反射板の周縁の端面に配置され、発光光を乱反射板の内部に射出するようにして高輝度な光を発する光源である複数の発光ダイオードと、前記乱反射板の下方に配置され、当該発光ダイオードの光を上方に反射させるアルミシート等からなる平坦な反射板と、筐体内の電池室に装填可能な電池と、前記光源を点灯消灯させるスイッチ15と、を備える。【選択図】    図１
0003178061.tif 000002
【実用新案登録請求の範囲】
【請求項１】
樹脂製で軽量な筐体と、
前記筐体の表面でトレース台として硬質で頑丈な透明板と、
前記透明板の下方に配置される乳白シートと、
前記乳白シートの下方に配置され、光錯乱構造を形成する乱反射板と、
前記乱反射板の周縁の端面に配置され、発光光を乱反射板の内部に射出するようにして高輝度な光を発する光源である複数の発光ダイオードと、
前記乱反射板の下方に配置され、当該発光ダイオードの光を上方に反射させるアルミシート等からなる平坦な反射板と、
前記筐体内の電池室に装填可能な電池と、
前記光源を点灯消灯させるスイッチと、
を備えることを特徴とするお絵描き台玩具。
【請求項２】
前記乱反射板は一方の面を多数の凹凸で形成していることを特徴とする請求項１に記載のお絵描き台玩具。
【請求項３】
前記発光ダイオードは、白色光を発光させる光源であることを特徴とする請求項１又は請求項２に記載のお絵描き台玩具。
【請求項４】
前記筐体は、長方形の板状であって、前記発光ダイオードは前記筐体内で当該筐体の長手方向に等間隔で複数配置させることを特徴とする請求項１乃至請求項３の何れかに記載のお絵描き台玩具。
【考案の詳細な説明】
【技術分野】
【０００１】
本考案は、幼児が絵などをトレースしてお絵描きの学習に役立つ知育玩具としてのトレース台に関する。
【背景技術】
【０００２】
従来、幼児期の子供たちは、お絵描きの学習として、刊行物に描かれたキャラクター等を真似て描くことがある。また、例えば、キャラクター等の書かれた原紙の上に用紙を置いて、その用紙に写し絵を描く場合がある。このような作業をするときに、原紙の背後から光をあてるトレース台があれば、写し絵を描くのに便利である。
【０００３】
下記に示す特許文献１には、高輝度、均一照射が可能で、軽量で携帯性に優れ、且つ原紙載置板の透明部または半透明部上での均一輝度が得られるトレース台が開示されている。
【先行技術文献】
【特許文献】
【０００４】
【特許文献１】特開２００５−１６９７０４号公報
【考案の概要】
【考案が解決しようとする課題】
【０００５】
しかしながら、特許文献１に示すトレース台は、高品質なトレース台であって、均一な面発光を実現するために微細加工の光学系部材である導光板を用いる必要があり、高価なものであった。
【０００６】
本考案は、上述したような従来技術の問題点に鑑みてなされたものであり、幼児のお絵描きの学習に役立つ知育玩具のトレース台として、乱反射板の製造が容易にして安価であり、しかも、軽量で持ち運びに便利なお絵描き台玩具を提供することを目的とする。
【課題を解決するための手段】
【０００７】
本考案のお絵描き台玩具は、樹脂製で軽量な筐体と、前記筐体の表面でトレース台として硬質で頑丈な透明板と、前記透明板の下方に配置される乳白シートと、前記乳白シートの下方に配置され、光錯乱構造を形成する乱反射板と、前記乱反射板の周縁の端面に配置され、発光光を乱反射板の内部に射出するようにして高輝度な光を発する光源である複数の発光ダイオードと、前記乱反射板の下方に配置され、当該発光ダイオードの光を上方に反射させるアルミシート等からなる平坦な反射板と、前記筐体内の電池室に装填可能な電池と、前記光源を点灯消灯させるスイッチと、を備えることを特徴とする。
【０００８】
また、本考案のお絵描き台玩具は、前記乱反射板が一方の面で多数の凹凸を形成していることを特徴とする。
【０００９】
さらに、本考案のお絵描き台玩具は、前記発光ダイオードが白色光を発光させる光源であることを特徴とする。
【００１０】
そして、本考案のお絵描き台玩具は、前記筐体が長方形の板状であって、前記発光ダイオードは前記筐体内で当該筐体の長手方向に等間隔で複数配置させることを特徴とする。
【考案の効果】
【００１１】
本考案によれば、幼児のお絵描きの学習に役立つ知育玩具のトレース台として乱反射板の製造が容易にして安価であり、しかも、軽量で持ち運びに便利なお絵描き台玩具を提供することができる。
【００１２】
さらに、本考案によれば、多数の凹凸を形成している乱反射板を用いることによりトレース台領域に均等な光を照射させるお絵描き台玩具とすることができる。
【００１３】
また、本考案によれば、白色光を発光させる発光ダイオードを用いることにより、発光寿命が長く、軽量なお絵描き台玩具とすることができる。
【００１４】
そして、本考案によれば、発光ダイオードを筐体の長手方向に等間隔で複数配置させることにより、トレース台領域の色斑を軽減させることができる。
【図面の簡単な説明】
【００１５】
【図１】本考案の実施例に係るお絵描き台玩具の外観斜視図である。
【図２】本考案の実施例に係るお絵描き台玩具の分解斜視図である。
【図３】本考案の実施例に係るお絵描き台玩具の短手方向の断面図である。
【図４】本考案の実施例に係るお絵描き台玩具の長手方向の断面図である。
【考案を実施するための形態】
【００１６】
以下、本考案を実施するための形態について述べる。本考案のお絵描き台玩具100は、樹脂製で軽量な筐体10と、筐体10の表面でトレース台として硬質で頑丈な透明板20と、透明板20の下方に配置される乳白シート30と、乳白シート30の下方に配置され、光錯乱構造を形成する乱反射板40と、乱反射板40の周縁の端面に配置され、発光光を乱反射板40の内部に射出するようにして高輝度な光を発する光源である複数の発光ダイオード50と、を備える。
【００１７】
また、お絵描き台玩具100は、乱反射板40の下方に配置され、発光ダイオード50の光を上方に反射させるアルミシート等からなる平坦な反射板60と、筐体内の電池室80に装填可能な電池と、光源を点灯消灯させるスイッチ15と、を備える。
【００１８】
さらに、お絵描き台玩具100は、乱反射板40が一方の面を多数の凹凸で形成しているものである。
【００１９】
そして、お絵描き台玩具100は、発光ダイオード50が白色光を発光させる光源である。
【００２０】
また、お絵描き台玩具100は、筐体10が長方形の板状であって、発光ダイオード50は筐体内で筐体10の長手方向に等間隔で複数配置させるものである。
【実施例】
【００２１】
以下、本考案の実施例について図を用いて説明する。図１は、本考案の実施例に係るお絵描き台玩具100の外観斜視図である。図２は、本考案の実施例に係るお絵描き台玩具100の分解斜視図である。図３は、本考案の実施例に係る長方形のお絵描き台玩具100の短手方向の内部を示す断面図である。図４は、本考案の実施例に係る長方形のお絵描き台玩具100の長手方向の内部を示す断面図である。
【００２２】
お絵描き台玩具100は、図１に示すようにお絵描きの学習として、キャラクター等の書かれた原紙を筐体10中央に位置する透明板20の上に置き、さらにその原紙の上に用紙を置いて、その両方の紙をストッパ18,19で固定させ、その用紙に写し絵を描くときに、スイッチ15を操作して照明を点灯させて原紙の背後から光を効果的に拡散させた面発光による光をあてて、簡単に写し絵を描くためのトレース台である。
【００２３】
そして、お絵描き台玩具100は、幼児のお絵描きの学習に役立つ知育玩具のトレース台として乱反射板の製造を容易にして安価であり、しかも、軽量で持ち運びに便利なものとして構成されている。
【００２４】
お絵描き台玩具100は、図２に示すように、筐体10、90の内部に、透明板20、乳白シート30、乱反射板40、発光ダイオード50、反射板60及び電池室80を備える。
【００２５】
筐体10、90は、軽量な硬質樹脂性で箱体を形成するものであって、上方にフレームを形成する筐体10、下方に土台を形成する筐体90を備え、両者を挟むようにしてお絵描き台玩具100を形成しており、内部に幾つかの照明部材を格納するものである。
【００２６】
透明板20は、厚さ５ｍｍ程の硬質で頑丈な透明樹脂であるアクリル材等からなる長方形の板材であって、お絵描き台玩具100の用紙置き場として、さらにトレース台領域として、背面から照明光を発する部分である。なお、透明板20は、ガラス材であっても構わない。
【００２７】
乳白シート30は、透明板20と略同一サイズの乳白色の紙材であって、照明光を拡散させる働きを有する。
【００２８】
乱反射板40は、厚さ３ｍｍ程の透明樹脂であるアクリル材等からなる長方形の板材であって、後述する反射板60と合せて、光源の光を透明板20の面発光領域全体に分散させる光錯乱構造を形成する。そして、乱反射板40は、一方の面を多数の凹凸を形成するにあたって、例えば、単純な形状にして比較的精度を必要としない金型による射出成形で製造することにより、製造を容易として安価なものとしている。
【００２９】
発光ダイオード50は、お絵描き台玩具100の光源であって、基板上に等間隔で複数実装されるチップタイプの高輝度な白色ＬＥＤからなり、お絵描き台玩具100の内部でお絵描き台玩具100の長手方向の対向する夫々の周縁に配置させている。また、発光ダイオード50は、乱反射板40の端面から光を照射するように配置させている。
【００３０】
反射板60は、ガラス材又は金属材にアルミニウムを表面に蒸着させて形成したアルミシート等からなる平面ミラーであって、乱反射板40と合せて、発光ダイオード50の照射光を効率良く面発光に変換させるものである。なお、透明板20、乳白シート30、乱反射板40、及び反射板60は、お絵描き台玩具100の厚み方向において、図示しない枠材等により重なるように設置して密着するように配置されるものである。
【００３１】
電池室80は、お絵描き台玩具100に用いる電池の収納室であって、発光ダイオード50を点灯させるための主電源となる単一電池、単二電池又は単三電池などの所定の汎用電池を複数本、収納させるものである。
【００３２】
なお、お絵描き台玩具100は、収納された電池を主電源として、所定の回路により定電流、定電圧を構成して、スイッチ15のＯＮＯＦＦ操作に基づいて、発光ダイオード50を点灯消灯させる。
【００３３】
次に、お絵描き台玩具100において、面発光を可能とする内部の構造について図を用いて説明する。図３は、本考案の実施例に係るお絵描き台玩具100の短手方向の断面図である。図４は、本考案の実施例に係るお絵描き台玩具100の長手方向の断面図である。
【００３４】
お絵描き台玩具100は、図３に示すように発光ダイオード50を乱反射板40のエッジに配置させ、反射板60と乱反射板40を組み合わせることで面発光を可能としている。
【００３５】
具体的には、発光ダイオード50の射出光を乱反射板40の左右のエッジ部から夫々入射させることにより、光が乱反射板40に入射され、乱反射板40の例えば、上方の面に形成された凹凸により、凹凸のない部分を通過する光は乱反射板40内を直進し、光が乱反射板40の凹凸のある部分に到達すると、凹凸面により反射される光がでてきて、乱反射板40の上面方向又は下面方向へと方向を変えることとなる。なお、乱反射板40は上方の面に形成された凹凸に限定されず、下方の面としても構わない。
【００３６】
そして、上面に方向を変えた光は、乳白シートにより輝点が曇りガラス効果で拡散されて面発光の有効光に変換され、下面に方向を変えた光は、反射板60により反射されて上方の面へと光の方向を変え、乳白シートにより輝点が曇りガラス効果で拡散されて面発光の有効光へと変換される。
【００３７】
なお、乱反射板40の多数の凹凸については、乱反射板40の所定の面において、単純な形状による凹凸を形成するにあたって、１個当たり４ｍｍ角程の格子状に同一の四角錐台形状の窪み配列する場合や、格子状に同一の円錐台形状の窪みを配列する場合や、また、光源の近傍と遠方で異なる形状の窪みにしたり、光源の近傍と遠方でテーパ形状を変えて異なる深さの窪みを配列することにより、効果的に光源の光を一面に分散させる構造としている。
【００３８】
さらに、乱反射板40の多数の凹凸は、縦横に格子状のＶ字溝を形成するようにしても構わない。
【００３９】
また、図４に示すように、発光ダイオード50は、筐体90内部の長手方向において、夫々等間隔に配置されているものである。
【００４０】
なお、発光ダイオード50は、長手方向で等間隔で密集するように配置すれば、トレース台領域の照明光を均一光とすることができる。
【００４１】
以上のように本考案によれば、幼児のお絵描きの学習に役立つ知育玩具のトレース台として乱反射板40の製造が容易にして安価であり、しかも、軽量で持ち運びに便利なお絵描き台玩具100を提供することができる。
【００４２】
さらに、本考案によれば、格子状の多数の模様を凹凸により形成している乱反射板40を用いることによりトレース台領域に均等な光を照射させるお絵描き台玩具100とすることができる。
【００４３】
また、本考案によれば、白色光を発光させる発光ダイオード50を用いることにより、発光寿命が長く、軽量なお絵描き台玩具100とすることができる。
【００４４】
そして、本考案によれば、発光ダイオード50を筐体の長手方向に等間隔で複数配置させることにより、トレース台領域の色斑を軽減させることができる。
【符号の説明】
【００４５】
10  筐体                            15  スイッチ
18  ストッパ                        19  ストッパ
20  透明板
30  乳白シート                      40  乱反射板
50  発光ダイオード
60  反射板                          80  電池室
90  筐体
100 お絵描き台玩具
【図１】
0003178061.tif 000003
【図２】
0003178061.tif 000004
【図３】
0003178061.tif 000005
【図４】
0003178061.tif 000006